(57)【要約】【課題】ハンドオーバー中にスケジューリング命令を送信する方法を提供する。【解決手段】スケジューリング命令は、複数のセルを有する基地局から使用者機器に送信される。動作において、基地局は、スケジューリング命令を構成し、該スケジューリング命令を複数のセルのうち１つ以上を介して使用者機器に送信する。本発明は、複数のセルを持つ基地局（ＢＳ）からハンドオーバー中に使用者機器（ＵＥ）へスケジューリング命令を送信する方法であって、前記スケジューリング命令を構成する段階と、前記複数のセルのうち１つ以上を介して前記スケジューリング命令を送信する段階と、を備える、スケジューリング命令送信方法を提供する。【選択図】図１
2008503149.tif 000002
【特許請求の範囲】
【請求項１】
複数のセルを持つ基地局（ＢＳ）からハンドオーバー中に使用者機器（ＵＥ）へスケジューリング命令を送信する方法であって、
前記スケジューリング命令を構成する段階と、
前記複数のセルのうち１つ以上を介して前記スケジューリング命令を送信する段階と、
を備える、スケジューリング命令送信方法。
【請求項２】
前記複数のセルのうち１つ以上を介して前記使用者機器へ送信される前記スケジューリング命令は、同じスケジューリング命令情報を含む、請求項１に記載のスケジューリング命令送信方法。
【請求項３】
前記使用者機器は、前記複数のセルのうち１つ以上を介して受信された前記スケジューリング命令が、同じスケジューリング命令情報を含むことを知っている、請求項２に記載のスケジューリング命令送信方法。
【請求項４】
２つ以上のセルから前記使用者機器によって受信された前記スケジューリング命令を結合する段階をさらに備える、請求項１に記載のスケジューリング命令送信方法。
【請求項５】
前記２つ以上のセルは、同じ基地局に位置する、請求項４に記載のスケジューリング命令送信方法。
【請求項６】
前記２つ以上のセルを介して前記使用者機器によって受信された前記スケジューリング命令は、同じスケジューリング命令情報を含む、請求項４に記載のスケジューリング命令送信方法。
【請求項７】
前記使用者機器は、前記２つ以上のセルから受信された前記スケジューリング命令が、同じスケジューリング命令情報を含むことを知っている、請求項４に記載のスケジューリング命令送信方法。
【請求項８】
前記スケジューリング命令は、
前記基地局によって与えられ、上りリンク方向に前記使用者機器が送信を固守するようにする、特定電力レベルまたはデータレートを含む、請求項１に記載のスケジューリング命令送信方法。
【請求項９】
前記スケジューリング命令は、
以前電力レベルまたはデータレートに基づいて上りリンク方向への送信のための電力レベルまたはデータレートを増加または減少させる命令を含む、請求項１に記載のスケジューリング命令送信方法。
【請求項１０】
前記命令は、１ビット以上を含めてなる、請求項９に記載のスケジューリング命令送信方法。
【請求項１１】
前記増加させる命令は、正数によって表される、請求項９に記載のスケジューリング命令送信方法。
【請求項１２】
前記正数は、“１”である、請求項１１に記載のスケジューリング命令送信方法。
【請求項１３】
前記減少させる命令は、“０”によって表される、請求項１０に記載のスケジューリング命令送信方法。
【請求項１４】
前記以前電力レベルまたはデータレートは、前記特定電力レベルまたはデータレートである、請求項９または１０に記載のスケジューリング命令送信方法。
【請求項１５】
前記スケジューリング命令は、下りリンクチャネルを介して送信される、請求項１に記載のスケジューリング命令送信方法。
【請求項１６】
前記スケジューリング命令送信に用いられる前記複数のセルは、Ｅ−ＤＣＨ（enhanced  dedicated  channel）活性化セットに属する、請求項１に記載のスケジューリング命令送信方法。
【請求項１７】
ハンドオーバー中に、複数のセルを持つ基地局（ＢＳ）からスケジューリング命令を受信する方法であって、
前記複数のセルのうち１つ以上を介して前記スケジューリング命令を受信する段階と、
２つ以上のセルを介して受信した前記スケジューリング命令を結合する段階と、
を備える、スケジューリング命令受信方法。
【請求項１８】
前記複数のセルのうち１つ以上を介して使用者機器（ＵＥ）によって受信された前記スケジューリング命令は、同じスケジューリング命令を含む、請求項１７に記載のスケジューリング命令受信方法。
【請求項１９】
前記使用者機器は、前記複数のセルのうち１つ以上から受信したスケジューリング命令が同じスケジューリング命令を含むことを知っている、請求項１７に記載のスケジューリング命令受信方法。
【請求項２０】
前記２つ以上のセルは、同じ基地局に位置する、請求項１７に記載のスケジューリング命令受信方法。
【請求項２１】
前記スケジューリング命令は、下りリンクチャネルを介して受信される、請求項１７に記載のスケジューリング命令受信方法。
【請求項２２】
前記スケジューリング命令を受信するのに用いられる前記複数のセルは、Ｅ−ＤＣＨ（Enhanced  dedicated  channel）活性化セットに属する、請求項１７に記載のスケジューリング命令受信方法。
【請求項２３】
ハンドオーバー中に、スケジューリング命令を送受信する方法であって、
基地局で前記スケジューリング命令を構成する段階と、
複数のセルのうち１つ以上を介して使用者機器へ前記スケジューリング命令を送信する段階と、
前記複数のセルのうち１つ以上を介して送信された前記スケジューリング命令を受信する段階と、
２つ以上のセルを介して受信された前記スケジューリング命令を結合する段階と、
を備える、スケジューリング命令送受信方法。
【請求項２４】
ハンドオーバー中に、スケジューリング命令を送受信する通信システムであって、
前記スケジューリング命令を構成し、複数のセルのうち１つ以上を介して前記スケジューリング命令を送信する基地局（ＢＳ）と、
前記複数のセルのうち１つ以上を介して送信された前記スケジューリング命令を受信し、２つ以上のセルを介して受信した前記スケジューリング命令を結合する使用者機器（ＵＥ）と、
を備える、通信システム。
【請求項２５】
前記複数のセルのうち１つ以上を介して前記使用者機器に送信された前記スケジューリング命令は、同じスケジューリング命令情報を含む、請求項２４に記載の通信システム。
【請求項２６】
前記使用者機器は、前記複数のセルのうち１つ以上を介して受信された前記スケジューリング命令が、同じ命令情報を含むことを知っている、請求項２５に記載の通信システム。
【請求項２７】
２以上のセルを介して前記使用者機器によって受信された前記スケジューリング命令を結合する手段をさらに備える、請求項２４に記載の通信システム。
【請求項２８】
前記スケジューリング命令は、前記基地局によって与えられ、前記使用者機器が上りリンク方向に送信を固守するようにする特定電力レベルまたはデータレートを含む、請求項２４に記載の通信システム。
【請求項２９】
前記スケジューリング命令は、移転電力レベルまたはデータレートに基づいて上りリンク方向への送信のための電力レベルまたはデータレートを増加または減少させる命令を含む、請求項２４に記載の通信システム。
【請求項３０】
前記スケジューリング命令は、下りリンクチャネルを介して送信される、請求項２４に記載の通信システム。
【請求項３１】
前記スケジューリング命令の送信に用いられる前記複数のセルは、Ｅ−ＤＣＨ（enhanced  dedicated  channel）活性化セットに属する、請求項２４に記載の通信システム。
【発明の詳細な説明】
【技術分野】
【０００１】
本発明は、スケジューリング命令を送信する方法に係り、より詳細には、上りリンクＥ−ＤＣＨ(enhanced  dedicated  channel)のためのスケジューリング命令を送信する方法に関する。
【背景技術】
【０００２】
近来、移動通信システムにおいて、ノードＢ（Node  B）制御スケジューリング、複合自動反復要請（ＨＡＲＱ）のような、上りリンク送信性能を向上させるための様々な方法が考慮されている。
【０００３】
通常、無線制御ネットワーク（ＲＮＣ）は、転送フォーマット組み合わせセット（Transport  Format  Combination  Set）を使用者機器（ＵＥ）に送信する。ここで、ＴＦＣＳは、ＵＥによって選択されうる転送フォーマット組み合わせ（Transport  Format  Combination）のセットを表す。ＵＥは、ＴＦＣの整列を管理する。すなわち、ＵＥによって提供される最大送信電力よりも高い送信電力を要求するＴＦＣは、許容されるＴＦＣのプール（pool）から排除される。
【発明の開示】
【発明が解決しようとする課題】
【０００４】
しかしながら、排除されたＴＦＣによって要求される送信電力が、許容されるＴＦＣ送信電力の範囲内にある場合、排除されたＴＦＣは、許容されるＴＦＣのプールに含まれることができる。この動作は、ＵＥの上位階層から提供される。ＲＮＣは、ＵＥの許容される最大送信電力を、ノードＢに知らせる。この類型のＲＮＣスケジューリングは、非効率的で且つ相対的に概略的であるので、そういうスケジューリングエンティティーをノードＢに渡すことによって上りリンク送信の効率性を向上させることが可能である。ノードＢ制御スケジューリングの場合、上りリンク負荷は相対的に迅速に制御されることができ、上りリンクの容量もまた向上することができる。
【０００５】
ノードＢ制御スケジューリングの下に、ＲＮＣをスケジューリング命令に対する構想から排除し、基地局またはノードＢがＵＥにスケジューリング命令を下りリンク方向に送信する。また、ＵＥは、重なり合ったセル境界領域に位置する場合、ハンドオーバー中に１つ以上のセルまたはセクターと通信する。
【０００６】
ハンドオーバー中に、基地局はスケジューリング命令を１つ以上のセルまたはセクターを介して送信し、各セルまたはセクターに送信されるスケジューリング命令は、他のスケジューリング命令と異なってもいても、独立していても良い。したがって、ＵＥは相異なるセルまたはセクターを介して送信されてきたそれぞれの独立したスケジューリング命令を適切に結合できない場合もあり、これは検出性能の低下につながる恐れがある。また、ありえる相対的に劣悪なチャネル状態によって、ＵＥは只１つのセルまたはセクターを介して基地局から送信された信号を検出するのに困難があることもある。
【０００７】
したがって、本発明は、関連技術の制限または短所による１以上の問題を実質的に軽減できるスケジューリング命令送信方法を提供する。
【０００８】
本発明の目的は、複数のセルを持つ基地局からハンドオーバー中の使用者機器にスケジューリング命令を送信する方法を提供することにある。
【０００９】
本発明の他の目的は、ハンドオーバー中に、複数のセルを持つ基地局からスケジューリング命令を受信する方法を提供することにある。
【００１０】
本発明のさらに他の目的は、ハンドオーバー中に、スケジューリング命令を送受信する方法を提供することにある。
【００１１】
本発明のさらに他の目的は、ハンドオーバー中に、スケジューリング命令を送受信する通信システムを提供することにある。
【課題を解決するための手段】
【００１２】
上記目的を達成するために、本発明の一様態において、複数のセルを持つ基地局からハンドオーバー中に使用者機器へスケジューリング命令を送信する方法が提供される。具体的には、基地局はスケジューリング命令を構成し、該スケジューリング命令を、複数のセルのうち１つ以上を介して使用者機器へ送信する。
【００１３】
本発明の他の様態において、ハンドオーバーの中に、複数のセルを持つ基地局からスケジューリング命令を受信する方法が提供される。その動作において、使用者機器は、複数のセルのうち１つ以上を介して送信されたスケジューリング命令を受信し、２つ以上のセルを介して受信したスケジューリング命令を結合する。
【００１４】
本発明のさらに他の様態において、ハンドオーバー中に、スケジューリング命令を送受信する方法が提供される。その動作において、基地局は、スケジューリング命令を構成し、複数のセルのうち１つ以上を介してそのスケジューリング命令を使用者機器に送信する。また、使用者機器は、複数のセルのうち１つ以上を介して送信されたスケジューリング命令を受信し、２つ以上のセルを介して受信されたスケジューリング命令を結合する。
【００１５】
また、本発明のさらに他の様態において、ハンドオーバー中にスケジューリング命令を送受信する通信システムが提供される。ここで、基地局は、スケジューリング命令を構成し、このスケジューリング命令を複数のセルのうち１つ以上を介して送信し、同時に使用者機器（ＵＥ）は、複数のセルのうち１つ以上を介して送信されたスケジューリング命令を受信し、２つ以上のセルを介して受信したスケジューリング命令を結合する。
【発明の効果】
【００１６】
本発明によれば、同じスケジューリング命令を１つ以上のセルを介して送信し、ＵＥによって受信されたスケジューリング命令を結合することができるため、送信エラーを減少させ、命令はより正確に確認可能になる。
【発明を実施するための最良の形態】
【００１７】
以下、本発明の好適な実施例について、添付の図面を参照しつつ詳細に説明する。図面中、同一の構成要素及び部分には、可能な限り同一の参照符号及び番号を共通使用するものとする。
【００１８】
Ｅ−ＤＣＨ（enhanced  dedicated  channel）は、ノードＢ制御スケジューリング及びＨＡＲＱ下で、上りリンク方向への高速データ送信のためのチャネルとして提案された。ノードＢ制御スケジューリングに関して、Ｅ−ＤＣＨは、基地局（ノードＢ）から使用者機器（ＵＥ）にスケジューリング命令を送信するのに用いられる。
【００１９】
より効率的にスケジューリング命令を送信するために、ＲＮＣ制御スケジューリングの代わりにノードＢ制御スケジューリングが具現される。上述の如く、ＲＮＣ制御スケジューリングはノードＢ制御スケジューリングに比べて非効率的である。
【００２０】
ノードＢにおいて構成されたスケジューリング命令は、時間及びレートだけでなく、レートに基づいてもスケジューリング可能である。スケジューリング方式は、レートスケジューリング、そして時間及びレートスケジューリングに限定されない。スケジューリング手段の他の例として、ノードＢによるスケジューリングは、送信電力レベルに基づくこともできる。
【００２１】
レートスケジューリングにおいて、送信はレートに基づいてなされる。レートはデータまたは電力の観点でありうる。動作において、ＲＮＣは、セットアップ（setup）中のノードＢとＵＥに、情報を転送フォーマット組み合わせセット（ＴＦＣＳ）状で送信する。その後、送信されたＴＦＣＳは、電力レベルを制御することと略同様に、ノードＢによって階段式（stepwise）で制御される。あるいは、ノードＢがＵＥのＴＦＣＳからの送信のために許容される最大転送フォーマット組み合わせ（ＴＦＣ）を階段式で制御する。
【００２２】
例えば、最も強い電力レベルから最も弱い電力レベル順に整列された１００  ＴＦＣＳがＵＥに属しているとする。もし、ＴＦＣインデックスが或る電力レベル、例えば５０に設定される場合、ノードＢは、ＵＥがこれによって上りリンク方向に送信できる最大ＴＦＣを制御する増加／減少命令を含むことができる。したがって、“上り（up）”命令が含まれた場合、最大ＴＦＣは５１となり、“下り（down）”命令が指示される場合、４９となる。ここで、ＵＥはノードＢスケジューリングによるインデックス範囲セットによって送信が許容される。
【００２３】
時間及びレートスケジューリングの動作は、レートスケジューリングと異なる。時間及びレートスケジューリングにおいて、ＵＥの最大ＴＦＣは階段式で制御されない。その代わりに、ノードＢはＵＥに直接最大ＴＦＣを送信する時間及びレートを知らせる。同様に、レートはデータまたは電力に基づくことができる。ここで、送信時間は、例えば、特定時間、特定期間、または複数の期間になりうる。同時に、最大ＴＦＣの送信もまた、時間と共に制御されることができる。
【００２４】
例えば、ノードＢは、最大ＴＦＣを送信する特定期間をＵＥに知らせる。もし、特定期間が最大送信レートで送信するのに許容される場合、ノードＢはＵＥに、許容される時間スロットを知らせる。これによって、この期間中に、ＵＥはＴＦＣを最大送信レートで送信することができる。レートスケジューリング方式に比べて、時間及びレートスケジューリング方式はより効率的で且つ多い長所を持つ。
【００２５】
本発明の一実施の形態において、ノードＢからＵＥへの下りリンクスケジューリング命令は、高速送信のための上りリンクＥ−ＤＣＨ（enhanced  uplink  dedicated  channel）から発生する。特に、ノードＢは複数のセルのうち１つ以上を介してハンドオーバー中にＵＥへスケジューリング命令を送信する。
【００２６】
複数のセルは、活性化セット（active  set）と呼ばれる、ＵＥへの接続を形成するセルまたはセクターのグループに属する。好ましくは、この活性化セットは、Ｅ−ＤＣＨ活性化セットである。活性化セット内の全てのセル（または、セクター）に同じスケジューリング命令を送信することによって、増加されたスケジューリング命令検出からダイバーシティ利得がＵＥによって獲得されうる。例えば、特定セルを介せずに活性化セルのセル（または、セクター）を介してＵＥへスケジューリング命令を送信することによって、ＵＥがそのスケジューリング命令を受信したり検出する機会は、制限された数のセル（または、セクター）を介して送信する場合に比べて増加する。
【００２７】
ハンドオーバー中に、ＵＥは隣接した２つのセルの重なり合ったセルカバレッジ領域にある。ここで、セルはセクターと呼ばれても良い。また、各セルに位置するノードＢを持つセル間のハンドオーバーをたびたびソフト（soft）ハンドオーバーと呼ぶのに対し、ノードＢを共有するセル（または、セクター）間のハンドオーバーはたびたびソフター（softer）ハンドオーバーと呼ぶ。好ましくは、ソフターハンドオーバーが本発明の実施形態に適用される。
【００２８】
セル間のハンドオーバー（または、ソフトハンドオーバーまたはソフターハンドオーバー）において、ＵＥとノードＢ間の通信は、各セル（または、セクター）にそれぞれ１つずつ、２つの無線インターフェースチャネルを介して同時に発生する。通常、これは、ＵＥが信号を区分するために下りリンク方向に２個の別途信号を利用することが要求される。２つの信号は、例えば、多重経路受信に極似た、レーク処理の手段によってＵＥで受信される。
【００２９】
しかしながら、本発明の実施形態によれば、下りリンク方向に２個の別途信号を送信する代わりに、複数のセルのうち１つ以上を介して、重なり合うセルカバレッジ領域にあるＵＥに同じ信号またはスケジューリング命令が送信されることができる。単一基地局が複数のセルを持つカバレッジ領域のために存在できるため、同じ信号またはスケジューリング命令はノードＢによっていかなる修正も無しに１つ以上のセルを介して送信されることができる。
【００３０】
スケジューリング命令において、ノードＢは、上りリンク方向にデータを送信するための電力レベルまたはデータレートに属する情報を含むことができる。この命令は、ＵＥが上りリンク方向に送信できるようにするための特定送信電力レベル（または、データレート）を含むことができる。例えば、ノードＢが電力レベルまたはレートを５０に設定する場合、ＵＥは、この特定電力レベル（または、データレート）で送信しなければならない。この類型のスケジューリング命令は、絶対許可（absolute  grant：ＡＧ）と呼ぶことができる。
【００３１】
また、ノードＢは、送信のための電力レベル（または、データレート）を増加または減少させることに関する情報を含むことができる。具体的には、ノードＢは、上りリンク方向に送信する前に以前または既存電力（または、データレート）に関して電力（または、データレート）を増加または減少させるようにＵＥに命令できる。ここで、特定電力（または、データレート）を提供する代わりに、ノードＢは上り（UP）または下り（DOWN）の命令を提供する。例えば、特定または既存電力レベルが５０の場合、ＲＧは一定量だけ電力レベルを変化させることを表す。ここで、電力レベルの変化が１レベルの場合、電力レベルの範囲は４９乃至５１でありうる。この類型のスケジューリング命令は、相対的許可（relative  grant：ＲＧ）と呼ぶことができる。
【００３２】
ＲＧのスケジューリング命令は、一般的に１ビットを含めて構成されることができ、一般的に上り（UP）または下り（DOWN）を表す命令である。ＲＧは、特定電力レベルに関して上りリンク送信が発生できる許容可能な送信電力レベル範囲を提供する。ＡＧの電力レベルはＲＧを利用する場合に参照として用いることができる。
【００３３】
上述したように、ハンドオーバーは、ノードＢから信号またはスケジューリング命令を受信する際にセル間に発生する。スケジューリング命令が送信されうる場合にはソフターハンドオーバーの他、ソフトハンドオーバーもあるが、本発明の実施形態では、ソフターハンドオーバー中に送信することが好ましい。図１及び図２には、ハンドオーバー中にＵＥへスケジューリング命令を送信しそれを受信する動作を示す。ノードＢは、ハンドオーバー中にＵＥへ送信するスケジューリング命令を構成する（Ｓ１０）。上述の如く、ＵＥはハンドオーバー中にノードＢ（または、基地局）の複数のセルの重なり合ったカバレッジ領域にある。ここで、同じスケジューリング命令が複数のセル、すなわち、隣接した２セルを介してＵＥへ送信される（Ｓ１１）。ハンドオーバー中に隣接した２セルを介してスケジューリング命令が送信される場合、例えば、好ましくは、ＵＥは送信されたスケジューリング命令が同一であることを知っている。スケジューリング命令は、ＡＧ及び／またはＲＧでありうる。上述の如く、ＵＥは、相異なるセルから受信したスケジューリング命令が同じ命令情報を含むことを知っているため、ＵＥはその命令を確認するためにスケジューリング命令を結合する（Ｓ２１）。スケジューリング命令を結合することによって、エラーを減少させ、かつ、命令のより正確な確認を可能となる。
【００３４】
例えば、ノードＢがＵＥへ、より高い電力レベルで送信するようとのスケジューリング命令を送信すると仮定する。上り（UP）命令は、正数“１”によって表される。同様に、電力レベルを減少させたり下り（DOWN）命令を表すために、“０”が用いられる。隣接した２セルを介してＵＥによって上り命令が受信された時、ＵＥは、そのスケジューリング命令を結合することを知っているため、その結合された合計は１よりも大きい正数の２である。したがって、ＵＥは、ＵＥに対するスケジューリング命令が、送信電力レベルを増加させようとの内容であることが確認できる。逆に、命令が送信電力レベルを減少させようとの内容である場合、結合された値“０”がそれを表す。
【００３５】
もし、複数のセルを介して相異なるスケジューリング命令が送信され/送信されたり、ＵＥが、受信されたスケジューリング命令を結合することを知っていない場合、ＵＥはその命令を確認できない。ノードＢからの命令が常に障害または問題なく受信されるとは保障できない。劣悪なチャネル状態は、例えば適切な受信を妨害する。したがって、同じスケジューリング命令を１つ以上のセルを介して送信し、ＵＥによって受信されたスケジューリング命令を結合することによって、送信エラーは減少し、命令はより正確に確認可能になる。
【００３６】
本発明の思想及び範囲を逸脱しない限度内で本発明を様々に変更及び変換できるということは、当業者にとっては自明である。したがって、このような変更及び変形も、添付の特許請求の範囲及びその均等物によって定められる本発明の範囲に属するものとして解釈されるべきである。
【図面の簡単な説明】
【００３７】
【図１】ハンドオーバー中にスケジューリング命令を送信する動作を示す図である。
【図２】ハンドオーバー中にスケジューリング命令を受信する動作を示す図である。
【図１】
2008503149.tif 000003
【図２】
2008503149.tif 000004
【国際調査報告】
2008503149.tif 000005
2008503149.tif 000006
2008503149.tif 000007